(57)【要約】  【課題】手で持って使用する小型のローラー式マッサージ器において、高いマッサージ効果を発揮することのできるマッサージ器を提供する。  【解決手段】本実施形態に係るマッサージ器１は、取っ手本体１０と、前記取っ手本体１０に支持されると共に、少なくとも一部が湾曲形状であるローラー支持軸２２と、前記ローラー支持軸２２に、回転自在、且つ、当該ローラー支持軸２２上を移動自在に支持される複数のローラー２１と、隣接する前記ローラー２１同士に反発力を生じさせるための反発力生成手段２１と、を備える。【選択図】図３
2013052113.tif 000002
【特許請求の範囲】
【請求項１】
取っ手本体と、
前記取っ手本体に支持されると共に、少なくとも一部が湾曲形状であるローラー支持軸と、
前記ローラー支持軸に、回転自在、且つ、当該ローラー支持軸上を移動自在に支持される複数のローラーと、
隣接する前記ローラー同士に反発力を生じさせるための反発力生成手段と、を備えることを特徴とするマッサージ器。
【請求項２】
前記ローラーに外力が作用していないときには、前記複数のローラーは、前記反発力により、前記ローラー支持軸上に所定の間隔で整列すると共に、
前記ローラーに当該ローラーを回転させる所定の方向の外力が作用したときには、前記複数のローラーは、前記反発力に抗しながら間隔を狭める方向に前記ローラー支持軸の湾曲形状部分を移動するように構成されていることを特徴とする請求項１記載のマッサージ器。
【請求項３】
前記反発力生成手段は、前記ローラー自体を永久磁石で構成する、又は、前記ローラー内に永久磁石を設置することで実現されていることを特徴とする請求項１又は請求項２記載のマッサージ器。
【請求項４】
前記永久磁石は、隣接する前記ローラー間でＳ極又はＮ極が向き合うように設置されていることを特徴とする請求項３記載のマッサージ器。
【請求項５】
前記ローラー支持軸の湾曲形状部分は、先端側に凸の円弧形状であることを特徴とする請求項１乃至４何れか１項に記載のマッサージ器。
【請求項６】
前記取っ手本体は、前記ローラーが回転するようにマッサージ器を動かすときに、前記ローラー支持軸が突出位置と退避位置との間で移動可能に、前記ローラー支持軸を支持していることを特徴とする請求項１乃至５何れか１項に記載のマッサージ器。
【発明の詳細な説明】
【技術分野】
【０００１】
本発明は、小型のマッサージ器に関して、特に、手持ちで人体の表面にローラーを接触させて使用するローラー式のマッサージ器に関する。
【背景技術】
【０００２】
従来から種々のマッサージ器が提供されており、手で持って人体の表面にローラーを接触させながら使用する小型のローラー式マッサージ器も多数提供されている。例えば、下記特許文献１に従来の小型ローラー式マッサージ器が開示されている。
【０００３】
下記特許文献１においては、ハンドル部材の先端に左右方向に一列に配列された球状ローラーをそれぞれ回転自在に軸支した構成のローラー式のマッサージ器が開示されている。
【０００４】
このような構成のマッサージ器を手で持って顔面などの体表に接触させた状態で上下方向に往復移動させると、一列に配列されている複数の球状ローラーが回転しながら体表を転動するため、簡単な操作で体表をマッサージすることができる。
【先行技術文献】
【特許文献】
【０００５】
【特許文献１】特開２００９−１４２５２７号公報
【発明の概要】
【発明が解決しようとする課題】
【０００６】
しかし、上記特許文献１では、一列に配列した複数のローラーが単に回転しながら人体の表面に接触するだけであるため、大したマッサージ効果を得ることができない。
【０００７】
本発明は、このような課題に鑑みてなされたものであり、手で持って使用する小型のローラー式マッサージ器において、高いマッサージ効果を発揮することのできるマッサージ器を提供することを目的とする。
【課題を解決するための手段】
【０００８】
上記課題を解決するために、本発明に係るマッサージ器は、取っ手本体と、前記取っ手本体に支持されると共に、少なくとも一部が湾曲形状であるローラー支持軸と、前記ローラー支持軸に、回転自在、且つ、当該ローラー支持軸上を移動自在に支持される複数のローラーと、隣接する前記ローラー同士に反発力を生じさせるための反発力生成手段と、を備えることを特徴とする。
【０００９】
さらに、本発明に係るマッサージ器は、前記ローラーに外力が作用していないときには、前記複数のローラーは、前記反発力により、前記ローラー支持軸上に所定の間隔で整列すると共に、前記ローラーに当該ローラーを回転させる所定の方向の外力が作用したときには、前記複数のローラーは、前記反発力に抗しながら間隔を狭める方向に前記ローラー支持軸の湾曲形状部分を移動するように構成されていることを特徴とする。
【発明の効果】
【００１０】
本発明に係るマッサージ器によれば、ローラーを人体表面に接触させた状態で往復動させることで、ローラーの間隔が広がったり狭まったりするので、ローラー間に人体表面の肉を挟むことで高いマッサージ効果を得ることができる。
【図面の簡単な説明】
【００１１】
【図１】図１は、本発明の実施形態に係るマッサージ器の平面図である。
【図２】図２は、本発明の実施形態に係るマッサージ器の側面図である。
【図３】図３は、本発明の実施形態に係るマッサージ器の水平断面図である。
【図４】図４は、本発明の実施形態に係る末端ローラーの分解斜視図である。
【発明を実施するための形態】
【００１２】
以下、図面を参照しながら、本発明の実施形態に係るマッサージ器について説明する。本実施形態に係るマッサージ器は、手で持って使用されるローラー式の小型マッサージ器であり、主として顔の表面などの人体の表面にローラーを接触させて使用される。
【００１３】
図１は、本実施形態に係るマッサージ器の平面図である。図２は、本実施形態に係るマッサージ器の側面図である。図３は、本実施形態に係るマッサージ器の水平断面図である。なお、図１〜図３において、上側がマッサージ器の先端となる。
【００１４】
図１〜図３に示すように、マッサージ器１は、取っ手本体１０、ローラー部２０、末端ローラー部３０を備えている。取っ手本体１０は、使用者がマッサージ器１の本体を構成する筐体であり、プラスチック製の本体筐体１１、ローラー部２０を付勢するためのコイルバネ１２を備えている。
【００１５】
取っ手本体１０を機能的に分けると、先端側から順に、ローラー部２０を支持するローラー支持軸支持部１５、手で握られる取っ手部１６、末端ローラー部３０を支持する末端回転軸支持部１７が形成されている。
【００１６】
ローラー支持軸支持部１５は、後述するローラー部２０のローラー支持軸２２を支持する部分である。ローラー支持軸支持部１５において、本体筐体１１には、支持軸端当接部１５１と、バネ収容部１５３とがそれぞれ左右両側（図３参照）に形成されている。また、両者の間には、支持軸端当接部１５１が位置する内部空間と、バネ収容部１５３の内部空間とを仕切る隔壁１５２が形成されている。
【００１７】
また、バネ収容部１５３の先端側及び隔壁１５２には、ローラー支持軸２２を通すための挿通穴が形成されている。コイルバネ１２は、バネ収容部１５３内に収容されている。
【００１８】
取っ手部１６において、本体筐体１１は、中空の略円筒形状に形成されている。末端回転軸支持部１７には、後述する末端ローラー部３０の末端回転軸３６を固定支持するための挿通穴が三箇所に形成されている。これら挿通穴に貫挿することで、末端回転軸３６は、末端回転軸支持部１７において本体筐体１１に支持される。
【００１９】
ローラー部２０は、六個のローラー２１、ローラー２１を回転自在に直列に支持するローラー支持軸２２を備えている。ローラー２１は、略球状の永久磁石であり、中心を通る真っ直ぐな軸穴２１１が形成されている。この軸穴２１１内をローラー支持軸２２が通される。
【００２０】
また、軸穴２１１には、両側から軸穴２１１内面を保護するための略円筒形状の樹脂製軸穴保護カバー２１３が挿入されている。これにより、ローラー２１がローラー支持軸２２上を移動する際に、ローラー支持軸２２が永久磁石であるローラー２１の内面に直接当たって、ローラー２１が破損するのを防止することができる。
【００２１】
ローラー２１の着磁方向は、軸穴２１１に平行な方向であり、Ｓ極とＮ極の向きが、交互に逆になるように複数のローラー２１が設置されている。すなわち、隣り合うローラー２１同士は、同じ極を向かい合わせて設置されており、隣り合うローラー２１間には反発力（斥力）が作用している。
【００２２】
ローラー支持軸２２は、プラスチック製の湾曲棒状部材であり、マッサージ器１の先端側に凸となる略半円弧形状をしている。但し、上記ローラー支持軸支持部１５において支持されるローラー支持軸２２の両端部分は、真っ直ぐな直線状になっている。ローラー支持軸２２の湾曲部分の両端近傍には、ローラー２１が直線状の両端部分まで移動しないように規制するための輪帯状のローラー規制突起部２２１が形成されている。
【００２３】
したがって、ローラー２１に外力が作用していない状態では、ローラー支持軸２２に移動自在に支持された六個のローラー２１は、隣り合うローラー２１間に作用する磁力による反発力によって所定の間隔で整列する初期位置に位置している。このとき、両端のローラー２１は、両側のローラー規制突起部２２１にそれぞれ当接している。
【００２４】
ここで、いったんローラー２１が何かに触れるなどしてローラー２１に上記反発力以上の外力（ローラー２１の回転軸方向の力）が作用すると、反発力に抗してローラー２１がローラー支持軸２２に沿って移動することになる。但し、磁力による反発力が常にローラー２１に作用しているため、外力の作用が無くなると、ローラー２１は上記初期位置に戻ることになる。
【００２５】
ローラー規制突起部２２１は、ローラー２１の軸穴２１１よりも大きな外径の輪帯形状をしている。両端に位置するローラー２１は、ローラー規制突起部２２１に阻止されて、ローラー規制突起部２２１が設置されている位置よりも両端側に移動することができない。
【００２６】
ローラー支持軸２２は、その両端の直線状の部分において、バネ収容部１５３内に収容されているコイルバネ１２の内部を貫通している。そして、ローラー規制突起部２２１のさらに両端側であって、ローラー支持軸２２のバネ収容部１５３内に位置する部分には、コイルバネ１２の端部に当接してバネを伸縮させるためのバネ当接部材２２３が設置されている。
【００２７】
バネ当接部材２２３は、ローラー支持軸２２に固定される略筒状の部材であり、コイルバネ１２のローラー２１側に設置されている。また、バネ当接部材２２３は、コイルバネ１２の外径よりも大径の径大部を有しており、この径大部がコイルバネ１２のローラー１２側端部に当接している。
【００２８】
取っ手本体１０の支持軸端当接部１５１に当接するローラー支持軸２２の両端部には、軸抜け防止突起部２２５が形成されている。この軸抜け防止突起部２２５は、支持軸端当接部１５１とバネ収容部１５３との間の隔壁１５２に形成された挿通穴の径よりも大きな外径の輪帯形状をしている。
【００２９】
よって、軸抜け防止突起部２２５は、この隔壁１５２によりバネ収容部１５３側への移動を阻止されるため、ローラー支持軸２２がローラー支持軸支持部１５から抜けることはない。
【００３０】
このような構成により、ローラー支持軸２２は、本体筐体１１に対して、マッサージ器１の長手方向（ローラー２１が回転する方向）において移動自在である。ローラー支持軸２２に外力が作用していないときには、コイルバネ１２の弾性力により、ローラー支持軸２２が本体筐体１１から飛び出す方向にバネ当接部材２２３が押され、軸抜け防止突起部２２５が隔壁１５２に当接した状態となる。すなわち、ローラー支持軸２２が本体筐体１１から最も突き出した状態となる。
【００３１】
一方、ローラー支持軸２２に、コイルバネ１２の弾性力よりも強い引っ込む方向の外力が作用したときには、ローラー支持軸２２がコイルバネ１２の弾性力に抗して本体筐体１１内に引っ込む（退避位置）。外力が大きい場合には、最大でローラー支持軸２２の両端が支持軸端当接部１５１に当接するまでローラー支持軸２２が本体筐体１１内に引っ込む。
【００３２】
このように、マッサージ器１をローラー２１が回転する方向に動かすことで、ローラー支持軸２２が、本体筐体１１に対して、突出位置と退避位置との間で移動可能であり、よりソフトにローラー２１が顔表面に接触することができる。
【００３３】
末端ローラー部３０は、二個の末端ローラー３１と、二個の末端ローラー３１を回転自在に直列に支持する末端回転軸３６とを備えている。末端回転軸３６は、上述したように取っ手本体１０の末端回転軸支持部１７において、マッサージ器１の長手方向に延在して本体筐体１１に固定支持されている。
【００３４】
各末端ローラー３１は、略球状をしており、二個の半球状筐体３２と、六個の回転ボール３４を備えている。半球状筐体３２は、内部空間が形成された半球状の筐体であり、二つの半球状筐体３２を合わせることで、球状の末端ローラー３１が形成される。半球状筐体３２の内部空間には、回転ボール３４を回転自在に収容するためのボール収容部３２１が六箇所に形成されている。
【００３５】
ボール収容部３２１は、二つの半球状筐体３２の境界部分に形成されている。ボール収容部３１２は、内部に収容された回転ボール３４の一部が若干外部に突出するように、合体した二つの半球状筐体３２の境界部分には、回転ボール３４の直径よりも小さな径の円形の開口が形成されている。そして、回転ボール３４は、全ての方向に回転自在にボール収容部３２１に収容されている。
【００３６】
半球状筐体３２の境界平面と垂直な直径の部分には、末端回転軸３６を貫挿させるための軸挿通穴３２３が形成されている。末端ローラー３１は、軸挿通穴３２３に貫挿する末端回転軸３６に対して軸周りに回転自在に支持される。
【００３７】
回転ボール３４は、上記ローラー２１と同様に、略球状の永久磁石であり、一端側がＳ極、他端側がＮ極となるように着磁している。なお、二個の末端ローラー３１のうち末端側の末端ローラー３１Ｂのほうが先端側の末端ローラー３１Ａよりも一回りサイズが大きくなっている。
【００３８】
以上、マッサージ器１の構成について詳細に説明したが、続いて、マッサージ器１の使用態様について説明する。ここでは、人間の顔の表面のマッサージを行うための美顔ローラーとして用いる場合を例に挙げて説明する。
【００３９】
使用者は、マッサージ器１の取っ手部１６を握った状態で、先端のローラー部２０のローラー２１を全て顔の表面に接触させる。このとき、取っ手部１６が顔の表面に対して垂直になるのではなく、なるべく顔の表面に対して寝かせた状態（例えば、30°程度）で接触させるのが望ましい。
【００４０】
このように接触させた状態で、マッサージ器１を手元側に引っ張ると、顔表面に接触しているローラー２１がマッサージ器１の移動に伴って、回転軸（ローラー支持軸２２）周りに回転する。このとき、ローラー２１は、顔表面への接触によりローラー支持軸２２上においてマッサージ器１の移動方向と反対側（マッサージ器１の先端側）に引っ張られる。
【００４１】
ローラー２１は、ローラー支持軸２２の湾曲形状部分において支持され、この湾曲形状部分は、先端側に凸の半円弧形状となっている。よって、先端側に引っ張られるローラー２１は、ローラー２１間の反発力に抗しながらローラー支持軸２２上を先端側へと移動する。すなわち、複数のローラー２１は間隔を詰めながら先端側へと移動し、最終的には、隣り合うローラー２１同士が接触した状態となる。
【００４２】
続いて、ローラー２１を接触させたままで、マッサージ器１を先端側に押すて移動させると、ローラー支持軸２２の先端側に集まっているローラー２１が、支持軸周りに回転しながら、今度はローラー支持軸２２上を両端側へと広がるよう押し戻される。
【００４３】
このように、顔表面に対して寝かせた状態でローラー２１を押し当てながらマッサージ器１を往復動させることで、ローラー２１が支持軸周りに回転しながらローラー支持軸２２上を移動し、隣り合うローラー２１の間隔が広がったり狭まったりする。これにより、ローラー２１の間に顔表面の肉が挟まれたり解放されたりし、大きなマッサージ効果を得ることができる。
【００４４】
そして、マッサージ器１を顔表面から離すと、ローラー２１への外力が働かなくなるので、磁石であるローラー２１間に作用する反発力によって、六個のローラー２１は、所定の間隔を空けた初期位置に戻る。
【００４５】
なお、ローラー２１の磁石の強さについては、ローラー２１の磁力が強すぎると、ローラー２１間の反発力が強すぎてローラー２１が移動し難くなったり、マッサージ器１を持ち運ぶ際に金属品にくっついたり電子機器に悪影響を与えたりして望ましくない。また、ローラー２１の磁力が弱すぎると、ローラー２１が初期位置に戻ることができなくなってしまう。よって、本実施形態では、ローラー２１として、磁束密度が800〜1,000ガウスの永久磁石を用いている。
【００４６】
続いて、末端ローラー部３０の使用態様について説明する。二個の末端ローラー３１Ａ，３１Ｂは、末端回転軸３６の周りに回転自在である。よって、まず、使用者が取っ手部１６を握った状態で、末端ローラー３１を鼻の稜線が両ローラー３１Ａ，３１Ｂの間に位置するよう接触させる。
【００４７】
その状態で、マッサージ器１を鼻の稜線に沿って末端回転軸３６と垂直な方向に移動させれば、末端ローラー３１が回転し、回転ボール３４を含めて末端ローラー３１の表面が鼻の表面に回転しながら接触させることができる。このように、末端ローラー部３０は、鼻の稜線のような人体の凸部を末端ローラー３１間に挟んで使用するのに適している。
【００４８】
以上、本実施形態について詳細に説明したが、マッサージ器１によれば、複数のローラー２１を顔表面に押し当てながら長手方向に往復動させることで、磁石であるローラー２１が顔表面上でコロコロと転がり、転がり接触によるマッサージ効果と磁気による血行改善効果により肌にツヤや張りを与えることができる。
【００４９】
特に、マッサージ器１においては、ローラー２１が支持軸周りに回転するだけでなく、回転しながら支持軸（回転軸）方向にも移動し、ローラー２１の間隔が可変となるため、ローラー２１の間に顔表面の肉を挟んで、さらなるマッサージ効果を得ることができる。
【００５０】
また、ローラー支持軸２２に回転及び移動自在に支持されている複数のローラー２１間には反発力が作用しており、ローラー２１に外力が作用していない状態では、所定の間隔の初期位置に戻る。このため、ローラー支持軸２２の一方側に全てのローラー２１が偏った状態で顔表面に接触することがなく、ローラー２１の移動によるマッサージ効果を常時発揮することができる。
【００５１】
また、本実施形態によれば、鼻等のローラー部２０を当てにくい場所であっても、末端ローラー部３０を用いることで、マッサージ効果や磁気による血行改善効果を得ることができる。
【００５２】
以上、本発明の実施形態について説明したが、本発明の実施形態は上述した実施の形態に限定されるものではなく、本発明の主旨を逸脱しない範囲内で種々の変形が可能である。例えば、上記実施形態では、美顔ローラーとして用いる場合を例に挙げて説明したが、顔以外の人体表面全体に用いることができるのは言うまでもない。
【００５３】
また、上記実施形態では、ローラー支持軸の形状を先端側に凸の略半円弧形状としているが、ローラー支持軸の形状はこれに限定されるものではない。ローラー２１が回転するようにローラー２１に作用する外力によって、ローラー２１が支持軸に沿って移動できるような湾曲形状であれば、種々の湾曲形状を採用することができる。例えば、先端側に凹の略半円弧形状であっても良いし、楕円の円弧形状や波形状であっても良い。
【００５４】
また、上記実施形態では、ローラー間に反発力を作用させる反発力生成手段として、ローラー自体を永久磁石とする構成を採用しているが、ローラー間に反発力を発生させることができる手段であれば、適宜他の構成を採用することができる。例えば、ローラー内に永久磁石を設置する構成であっても良い。また、ローラー同士をコイルバネ等の弾性部材で連結するような構成であっても良い。
【００５５】
また、上記実施形態では、ローラー部に六個のローラーを設置したが、ローラーの数は複数であれば適宜変更可能である。
【符号の説明】
【００５６】
１        マッサージ器
１０      取っ手本体
１１      本体筐体
１２      コイルバネ
１５      ローラー支持軸支持部
１６      取っ手部
１７      末端回転軸支持部
２０      ローラー部
２１      ローラー
２２      ローラー支持軸
３０      末端ローラー部
３１      末端ローラー
３２      半球状筐体
３４      回転ボール
３６      末端回転軸
【図１】
2013052113.tif 000003
【図２】
2013052113.tif 000004
【図３】
2013052113.tif 000005
【図４】
2013052113.tif 000006